(57)【特許請求の範囲】
【請求項１】
ケースと、
前記ケースに対して相対的に移動可能なスライダと、
前記スライダを付勢するばねと、を備え、
前記スライダは、
前記ばねの付勢力に抗して前記スライダを待機位置に保持できるように、前記ケースに係合する係合部と、
トリガを捕捉した状態で前記スライダが前記ケースに対して相対的に移動するように、前記トリガに押されて移動して、前記係合部と前記ケースとの係合を解除する制御部と、を有するクローザにおいて、
前記制御部は、前記トリガに押されてない初期位置において、前記係合部と前記ケースとの係合が解除されるのを防止し、
前記制御部と前記係合部との間には、前記制御部が前記トリガに押されて前記初期位置から所定量移動しても、前記制御部と前記係合部が連動しないように、隙間が設けられ、
前記スライダは、スライダ本体を有し、
前記制御部は、前記スライダ本体に前記ケースの長さ方向にスライド可能に支持されるクローザ。
【請求項２】
ケースと、
前記ケースに対して相対的に移動可能なスライダと、
前記スライダを付勢するばねと、を備え、
前記スライダは、
前記ばねの付勢力に抗して前記スライダを待機位置に保持できるように、前記ケースに係合する係合部と、
トリガを捕捉した状態で前記スライダが前記ケースに対して相対的に移動するように、前記トリガに押されて移動して、前記係合部と前記ケースとの係合を解除する制御部と、を有するクローザにおいて、
前記制御部は、前記トリガに押されてない初期位置において、前記係合部と前記ケースとの係合が解除されるのを防止し、
前記制御部と前記係合部との間には、前記制御部が前記トリガに押されて前記初期位置から所定量移動しても、前記制御部と前記係合部が連動しないように、隙間が設けられ、
前記制御部の移動方向における前記隙間の長さは、前記移動方向における前記制御部と前記係合部との重なり長さよりも長いクローザ。
【請求項３】
前記制御部と前記係合部との間には、前記制御部を前記初期位置に復帰させる復帰ばねが設けられ、
前記トリガが前記係合部と前記制御部との間に挟まれることを特徴とする請求項１又は２に記載のクローザ。
【請求項４】
ケースと、
前記ケースに対して相対的に移動可能なスライダと、
前記スライダを付勢するばねと、を備え、
前記スライダは、
前記ばねの付勢力に抗して前記スライダを待機位置に保持できるように、前記ケースに係合する係合部と、
トリガを捕捉した状態で前記スライダが前記ケースに対して相対的に移動するように、前記トリガに押されて移動して、前記係合部と前記ケースとの係合を解除する制御部と、を有するクローザにおいて、
前記制御部は、前記トリガに押されてない初期位置において、前記係合部と前記ケースとの係合が解除されるのを防止し、
前記制御部と前記係合部との間には、前記制御部が前記トリガに押されて前記初期位置から所定量移動しても、前記制御部と前記係合部が連動しないように、隙間が設けられ、
前記係合部が前記スライダに軸を介して回転可能に支持されており、
前記係合部は、前記軸の軸方向視において、長辺部と短辺部を有して略Ｌ字状であり、
前記制御部は、前記係合部の前記短辺部に当接して前記係合部を回転させるクローザ。
【発明の詳細な説明】
【技術分野】
【０００１】
本発明は、引戸や引出し等の開閉体を閉じ位置及び／又は開き位置に引き込むクローザに関する。
【背景技術】
【０００２】
引戸や引出し等の開閉体を閉じ位置及び／又は開き位置に引き込むクローザが知られている。開閉体及び開閉体を囲む枠のいずれか一方には、クローザが取り付けられる。開閉体及び枠の他方には、トリガが取り付けられる。開閉体を所定位置まで移動させると、クローザがトリガを捕捉し、クローザが開閉体を閉じ位置及び／又は開き位置まで引き込む。【０００３】
特許文献１に記載のように、クローザは、ケースと、ケースに対して相対的に移動可能なスライダと、スライダを付勢するばねと、を備える。スライダは、ばねの付勢力に抗してスライダを待機位置に保持できるように、ケースに係合する係合部を有する。また、スライダは、係合部の位置を制御可能な制御部を有する。【０００４】
特許文献１に記載のクローザにおいて、係合部とケースとの係合の解除は、以下のように行われる。すなわち、引戸をトリガ位置まで移動させると、制御部がトリガに押されて移動する。制御部と係合部とは連動していて、制御部が移動すると係合部も移動する。係合部の移動により、係合部とケースとの係合が解除される。
【先行技術文献】
【特許文献】
【０００５】
【特許文献１】特開２０１２−１５８９５７号公報
【発明の概要】
【発明が解決しようとする課題】
【０００６】
しかし、特許文献１に記載のクローザにあっては、引戸が半開きの状態（すなわちスライダがトリガをまだ捕捉していない状態）で、引戸が衝撃を受けると、スライダとケースとの係合が不用意に外れるという課題がある。制御部と係合部とが常に連動しており、衝撃により両者が同時に動いてしまうことが原因である。【０００７】
スライダとケースとの係合が不用意に外れると、スライダがトリガを捕捉していないにも拘わらず、ばねの付勢力によってスライダがケースに対して相対的に移動してしまう。このため、引戸を引き込むことができなくなる。【０００８】
そこで、本発明は、スライダとケースとの係合が不用意に外れるのを防止できるクローザを提供することを目的とする。
【課題を解決するための手段】
【０００９】
上記課題を解決するために、本発明の一態様は、ケースと、前記ケースに対して相対的に移動可能なスライダと、前記スライダを付勢するばねと、を備え、前記スライダは、前記ばねの付勢力に抗して前記スライダを待機位置に保持できるように、前記ケースに係合する係合部と、トリガを捕捉した状態で前記スライダが前記ケースに対して相対的に移動するように、前記トリガに押されて移動して、前記係合部と前記ケースとの係合を解除する制御部と、を有するクローザにおいて、前記制御部は、前記トリガに押されてない初期位置において、前記係合部と前記ケースとの係合が解除されるのを防止し、前記制御部と前記係合部との間には、前記制御部が前記トリガに押されて前記初期位置から所定量移動しても、前記制御部と前記係合部が連動しないように、隙間が設けられ、前記スライダは、スライダ本体を有し、前記制御部は、前記スライダ本体に前記ケースの長さ方向にスライド可能に支持されるクローザである。
本発明の他の態様は、ケースと、前記ケースに対して相対的に移動可能なスライダと、前記スライダを付勢するばねと、を備え、前記スライダは、前記ばねの付勢力に抗して前記スライダを待機位置に保持できるように、前記ケースに係合する係合部と、トリガを捕捉した状態で前記スライダが前記ケースに対して相対的に移動するように、前記トリガに押されて移動して、前記係合部と前記ケースとの係合を解除する制御部と、を有するクローザにおいて、前記制御部は、前記トリガに押されてない初期位置において、前記係合部と前記ケースとの係合が解除されるのを防止し、前記制御部と前記係合部との間には、前記制御部が前記トリガに押されて前記初期位置から所定量移動しても、前記制御部と前記係合部が連動しないように、隙間が設けられ、前記制御部の移動方向における前記隙間の長さは、前記移動方向における前記制御部と前記係合部との重なり長さよりも長いクローザである。
本発明のさらに他の態様は、ケースと、前記ケースに対して相対的に移動可能なスライダと、前記スライダを付勢するばねと、を備え、前記スライダは、前記ばねの付勢力に抗して前記スライダを待機位置に保持できるように、前記ケースに係合する係合部と、トリガを捕捉した状態で前記スライダが前記ケースに対して相対的に移動するように、前記トリガに押されて移動して、前記係合部と前記ケースとの係合を解除する制御部と、を有するクローザにおいて、前記制御部は、前記トリガに押されてない初期位置において、前記係合部と前記ケースとの係合が解除されるのを防止し、前記制御部と前記係合部との間には、前記制御部が前記トリガに押されて前記初期位置から所定量移動しても、前記制御部と前記係合部が連動しないように、隙間が設けられ、前記係合部が前記スライダに軸を介して回転可能に支持されており、前記係合部は、前記軸の軸方向視において、長辺部と短辺部を有して略Ｌ字状であり、前記制御部は、前記係合部の前記短辺部に当接して前記係合部を回転させるクローザである。
【発明の効果】
【００１０】
本発明によれば、スライダとケースとの係合が不用意に外れるのを防止できる。
【図面の簡単な説明】
【００１１】
【図１】本発明の一実施形態のクローザが組み込まれる引戸システムの正面図である（図１（ａ）は引戸の半開き位置を示し、図１（ｂ）は引戸の閉じ位置を示し、図１（ｃ）は引戸の開き位置を示す）。
【図２】本実施形態のクローザの分解斜視図である。
【図３】本実施形態のスライダの分解斜視図である。
【図４】本実施形態のスライダの動作図である（図４（ａ）は制御部の初期位置を示し、図４（ｂ）は制御部の係合解除位置を示す）。
【図５】本実施形態のスライダの動作図である（図５（ａ）はスライダの制御部がトリガに当接した状態を示し、図５（ｂ）は一方のスライダが引込み位置にある状態を示し、図５（ｃ）は他方のスライダが引込み位置にある状態を示す）。
【発明を実施するための形態】
【００１２】
以下、添付図面に基づいて、本発明の実施形態のクローザを詳細に説明する。ただし、本発明のクローザは種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１３】
図１は、本発明の一実施形態のクローザが組み込まれる引戸システムを示す。図１（ａ）は引戸の半開き位置を示し、図１（ｂ）は引戸の閉じ位置を示し、図１（ｃ）は引戸の開き位置を示す。１は引戸、２は図示しない枠に取り付けられるレール、３ａ，３ｂはレール２に取り付けられるトリガ、４はクローザ、５ａ，５ｂは引戸１が吊り下げられるローラユニットである。ローラユニット５ａ，５ｂは、レール２内を走行する。クローザ４は、ローラユニット５ａ，５ｂと一緒にレール２内を移動する。
【００１４】
クローザ４は、引戸１を戸先側（閉じ位置）に引き込む機能を持つと共に、引戸１を戸尻側（開き位置）にも引き込む機能を持つ。図１（ａ）に示すように、半開き位置にある引戸１を閉じ方向に移動させると、クローザ４のスライダ７ａ（図２参照）が戸先側のトリガ３ａを捕捉する。そして、図１（ｂ）に示すように、クローザ４が引戸１を閉じ位置まで引き込む。一方、図１（ａ）に示す半開き位置にある引戸１を開き方向に移動させると、クローザ４のスライダ７ｂ（図２参照）が戸尻側のトリガ３ｂを捕捉する。そして、図１（ｃ）に示すように、クローザ４が引戸１を開き位置まで引き込む。
【００１５】
図２は、クローザ４の分解斜視図を示す。６はケース、７ａ，７ｂはスライダ、８ａ，８ｂはばね、９はダンパである。ケース６は、一方向、すなわち引戸１の開閉方向に延びる。ケース６内には、２つのスライダ７ａ，７ｂがケース６の長さ方向に移動可能に収容される。スライダ７ａ，７ｂの移動は、ケース６によって案内される。
【００１６】
ケース６は、断面コ字状のケース本体６ａと、ケース本体６ａの底部に取り付けられるプレート６ｂ，６ｃ，６ｄと、を備える。プレート６ｂ，６ｃ，６ｄは、樹脂製であり、スライダ７ａ，７ｂの滑りを良くするために設けられる。
【００１７】
プレート６ｂには、スライダ７ａの係合部１１ａが係合する凹部１４ａが形成される。また、プレート６ｂには、ケース本体６ａの長さ方向の端部を塞ぐ蓋部１５ａが一体に形成される。プレート６ｂには、蓋部１５ａを介して引戸１が吊り下げられるローラユニット５ａ（図１（ａ）参照）が連結される。
【００１８】
プレート６ｄには、スライダ７ｂの係合部１１ｂが係合する凹部１４ｂが形成される。また、プレート６ｄには、ケース本体６ａの長さ方向の端部を塞ぐ蓋部１５ｂが一体に形成される。プレート６ｄには、蓋部１５ｂを介してローラ５ｃ（図１（ａ）も参照）が連結される。プレート６ｃは、プレート６ｂとプレート６ｄとの間に配置される。
【００１９】
スライダ７ａ，７ｂは、スライダ本体１２ａ，１２ｂと、係合部１１ａ，１１ｂと、制御部１３ａ，１３ｂと、を備える。スライダ本体１２ａには、ダンパ９の本体部９ａを収容する箱状のダンパ収容部１６が一体に形成される。スライダ本体１２ｂには、ダンパ収容部１６が設けられていない。スライダ本体１２ｂには、ダンパ９の軸部９ｂが当接する。
【００２０】
スライダ本体１２ａ，１２ｂには、軸１７ａ，１７ｂを介してフック状の係合部１１ａ，１１ｂが回転可能に支持される。また、スライダ本体１２ａ，１２ｂには、制御部１３ａ，１３ｂがケース６の長さ方向に移動可能に支持される。制御部１３ａ，１３ｂとスライダ本体１２ａ，１２ｂとの間には、制御部１３ａ，１３ｂを初期位置に復帰させる復帰ばね１８ａ．１８ｂが介在する。スライダ本体１２ａ，１２ｂ、係合部１１ａ，１１ｂ、制御部１３ａ，１３ｂの詳細な構成は後述する。
【００２１】
スライダ７ａを付勢するばね８ａは、その一端部がスライダ本体１２ａに連結され、その他端部がプレート６ｄの蓋部１５ｂに連結される。スライダ７ｂを付勢するばね８ｂは、その一端部がスライダ本体１２ｂに連結され、その他端部がプレート６ｂの蓋部１５ａに連結される。ばね８ａ，８ｂは、その縮み方向にスライダ７ａ，７ｂを付勢する。
【００２２】
ダンパ９は、２つのスライダ７ａ，７ｂ間に掛け渡される。ダンパ９は、スライダ７ａ，７ｂを減速させ、引戸１が閉じるとき及び開くときの衝撃を緩和する。
【００２３】
図３は、スライダ７ａの分解斜視図を示す。スライダ本体１２ａは、互いに対向する一対の側壁２１ａ，２１ｂを有する。側壁２１ａ，２１ｂには、軸１７ａが取り付けられる。係合部１１ａは、一対の側壁２１ａ，２１ｂ間に軸１７ａを介して回転可能に支持される。一対の側壁２１ａ，２１ｂの上部には、制御部１３ａの移動を案内する案内突起２２ａ，２２ｂが設けられる。
【００２４】
係合部１１ａは、軸１７ａの軸方向視（図４のように視た状態）において、略Ｌ字状であり、短辺部２３と、長辺部２４と、を有する。長辺部２４には、プレート６ｂの凹部１４ａに係合する係合突起２５が形成される。また、長辺部２４には、トリガ３ａを捕捉する正面視略Ｔ字状の捕捉突起２６が形成される。長辺部２４の先端には、鋭角に曲がるフック体２７が形成される。
【００２５】
制御部１３ａは、略四角形の板状である。制御部１３ａには、スライダ本体１２ａの案内突起２２ａ，２２ｂが嵌る溝（図示せず）を有する抱込み部３１ａ，３１ｂが形成される。制御部１３ａは、スライダ本体１２ａの上面をケース６の長さ方向にスライドする。制御部１３ａの移動は、スライダ本体１２ａによって案内される。制御部１３ａには、係合部１１ａの短辺部２３が遊びを持って嵌まる四角形の開口３２が形成される。制御部１３ａの先端部には、係合部１１ａの捕捉突起２６に当接する二股状の制限突起３３ａ，３３ｂが形成される。
【００２６】
図４は、ケース６の長さ方向に沿ったスライダ７ａの断面図を示す。図４（ａ）は制御部１３ａの初期位置を示し、図４（ｂ）は制御部１３ａの係合解除位置を示す。制御部１３ａは、トリガ３ａ（図１（ａ）も参照）に押されて初期位置から係合解除位置まで移動する。制御部１３ａとスライダ本体１２ａとの間には、復帰ばね１８ａが介在する。トリガ３ａに押されていない状態の制御部１３ａは、復帰ばね１８ａによって初期位置に戻される。
【００２７】
上述のように、制御部１３ａには、係合部１１ａの回転を制限する制限突起３３ａ，３３ｂが設けられる。図４（ａ）に示す制御部１３ａの初期位置において、係合部１１ａが回転しようとしても、制御部１３ａの制限突起３３ａ，３３ｂが係合部１１ａに当接して係合部１１ａの回転を制限する。このため、係合部１１ａとケース６との係合が保たれる。制御部１３ａと係合部１１ａとは、制御部１３ａの移動方向に重なり長さＬ１を持つ。制御部１３ａが初期位置から重なり長さＬ１だけ移動する間、係合部１１ａの係合が解除されるような回転が制限され、係合部１１ａとケース６との係合が保たれる。
【００２８】
制御部１３ａと係合部１１ａとの間には、制御部１３ａがトリガ３ａに押されて初期位置から移動しても、制御部１３ａと係合部１１ａとが連動しないように、隙間３４が設けられる。制御部１３ａの移動方向における隙間３４の長さＬ２は、重なり長さＬ１よりも長い。
【００２９】
図４（ｂ）に示すように、制御部１３ａが初期位置から隙間３４の長さＬ２以上に移動すると、制御部１３ａが係合部１１ａの短辺部２３に当接して係合部１１ａが回転する。これにより、係合部１１ａとケース６との係合が解除される。また、トリガ３ａが係合部１１ａの捕捉突起２６と制御部１３ａとの間に捕捉される。
【００３０】
スライダ７ｂのスライダ本体１２ｂ、係合部１１ｂ、制御部１３ｂの構成は、スライダ７ａのスライダ本体１２ａ、係合部１１ａ、制御部１３ａと同一であるので、詳しい説明を省略する。
【００３１】
図５を参照して、クローザ４の動作を説明する。図５は、長さ方向に沿ったクローザ４の断面図を示す。図５（ａ）に示すように、まずスライダ７ａ，７ｂは、その係合部１１ａ，１１ｂがケース６の凹部１４ａ，１４ｂに係合する待機位置にある。このとき、ばね８ａ，８ｂ（図２参照）は伸びていて、スライダ７ａ，７ｂには、ばね８ａ，８ｂの付勢力が働いている。
【００３２】
図５（ａ）に示すように、クローザ４を閉じ方向に移動させ、スライダ７ａの制御部１３ａをトリガ３ａに当接させると、制御部１３ａがトリガ３ａに押されて移動する。制御部１３ａが移動すると、図に４（ａ）（ｂ）示すように、係合部１１ａとケース６との係合が解除され、係合部１１ａと制御部１３ａとの間にトリガ３ａが捕捉される。
【００３３】
ここで、スライダ７ａには、ばね８ａの付勢力が働いているので、スライダ７ａとケース６との係合が解除されると、図５（ｂ）に示すように、スライダ７ａはトリガ３ａを捕捉した状態でケース６の長さ方向に引込み位置まで引き込まれる。スライダ７ａの引き込みに伴い、引戸１も閉じ位置まで引き込まれる。
【００３４】
次に、閉じ位置にある引戸１を開けば、図５（ｂ）に示す引込み位置にあるスライダ７ａが、図５（ａ）に示す待機位置まで移動する。スライダ７ａの移動に伴い、再びスライダ７ａの係合部１１ａがケース６に係合し、スライダ７ａが待機位置に保持される。係合部１１ａは、制御部１３ａを介して復帰ばね１８ａによって反時計方向に付勢されており、復帰ばね１８ａによってケース６に係合する。
【００３５】
なお、本実施形態のクローザ４においては、誤動作する可能性は低いものの、制御部１３ａをトリガ３ａ以外の何かで押せば、係合部１１ａとケース６との係合が外れてしまう。この場合でも、引戸１を閉じ位置まで移動させれば、係合部１１ａのフック体２７が弾性変形してトリガ３ａを捕捉する。フック体２７がトリガ３ａを捕捉した後、閉じ位置にある引戸１を開けば、スライダ７ａが図５（ａ）に示す待機位置まで移動し、再びスライダ７ａの係合部１１ａがケース６に係合する。
【００３６】
クローザ４を開き方向に移動させる場合、図５（ｃ）に示すように、スライダ７ｂはスライダ７ａと同様に動作する。スライダ７ｂの動作は、スライダ７ａの動作と同一であるので、詳しい説明を省略する。
【００３７】
以上に本実施形態のクローザ４を説明した。本実施形態のクローザ４によれば、以下の効果を奏する。
【００３８】
制御部１３ａ，１３ｂは、その初期位置において、係合部１１ａ，１１ｂとケース６との係合が解除されるのを防止する。また、制御部１３ａ，１３ｂと係合部１１ａ，１１ｂとの間には、制御部１３ａ，１３ｂがトリガ３ａ，３ｂに押されて初期位置から所定量移動しても、制御部１３ａ，１３ｂと係合部１１ａ，１１ｂが連動しないように隙間３４が設けられる。このため、引戸１に衝撃が加わっても不用意に係合部１１ａ，１１ｂとケース６との係合が外れるのを防止できる。
【００３９】
制御部１３ａ，１３ｂと係合部１１ａ，１１ｂとの間の隙間３４の長さＬ２が、制御部１３ａ，１３ｂと係合部１１ａ，１１ｂとの重なり長さＬ１よりも長いので、制御部１３ａ，１３ｂを初期位置から重なり長さＬ１以上に移動させ、係合部１１ａ，１１ｂが回転できる状態になった後、係合部１１ａ，１１ｂが制御部１３ａ，１３ｂに連動する。このため、係合部１１ａ，１１ｂの動作が安定する。
【００４０】
トリガ３ａ，３ｂを係合部１１ａ，１１ｂと制御部１３ａ，１３ｂとの間で挟み、制御部１３ａ，１３ｂを復帰ばね１８ａ，１８ｂによって付勢するので、係合部１１ａ，１１ｂと制御部１３ａ，１３ｂとの間でトリガ３ａ，３ｂを隙間なく捕捉することができる。
【００４１】
制御部１３ａ，１３ｂが係合部１１ａ，１１ｂの短辺部２３に当接して係合部１１ａ，１１ｂを回転させるので、制御部１３ａ，１３ｂの移動量が少なくても、係合部１１ａ，１１ｂとケース６との係合を解除することができる。
【００４２】
なお、本発明は、上記実施形態に具現化されるのに限られることはなく、本発明の要旨を変更しない範囲で様々な実施形態に具現化可能である。
【００４３】
上記実施形態では、引戸を閉じ方向及び開き方向に引き込めるように、ケースに２つのスライダを設けているが、引戸を閉じ方向及び開き方向のいずれか一方のみに引き込めるように、ケースに１つのみのスライダを設けることもできる。
【００４４】
上記実施形態では、係合部がケースに回転可能に設けられているが、係合部をケースにスライド可能に設けることもできる。
【００４５】
本明細書は、２０１８年７月１２日出願の特願２０１８−１３２１０９に基づく。この内容はすべてここに含めておく。
【符号の説明】
【００４６】
３ａ，３ｂ…トリガ
４…クローザ
６…ケース
７ａ，７ｂ…スライダ
８ａ，８ｂ…ばね
１１ａ，１１ｂ…係合部
１３ａ，１３ｂ…制御部
１４ａ，１４ｂ…ケースの凹部
１７ａ，１７ｂ…軸
１８ａ，１８ｂ…復帰ばね
２３…短辺部
２４…長辺部
３４…隙間
【図１】
0006936920.tif 000002
【図２】
0006936920.tif 000003
【図３】
0006936920.tif 000004
【図４】
0006936920.tif 000005
【図５】
0006936920.tif 000006